(57)【要約】  画像処理装置は、画像に基づいて前記画像の色の属性に関する評価値を算出する算出部と、第１の画像から第２の画像に切替えて表示する際の切替え期間に挿入される切替え画像の色である挿入色を、前記第１の画像に基づいて前記算出部により算出された評価値である第１の色評価値と前記第２の画像に基づいて前記算出部により算出された評価値である第２の色評価値との少なくとも一方に基づいて生成する生成部と、切替え期間に前記挿入色の前記切替え画像を挿入して、前記第１の画像から前記第２の画像に切替える処理をする切替え処理部と、を備える。
2012147772.tif 000002
【特許請求の範囲】
【請求項１】
画像に基づいて前記画像の色の属性に関する評価値を算出する算出部と、
第１の画像から第２の画像に切替えて表示する際の切替え期間に挿入される切替え画像の色である挿入色を、前記第１の画像に基づいて前記算出部により算出された評価値である第１の色評価値と前記第２の画像に基づいて前記算出部により算出された評価値である第２の色評価値との少なくとも一方に基づいて生成する生成部と、
前記切替え期間に前記挿入色の前記切替え画像を挿入して、前記第１の画像から前記第２の画像に切替える処理をする切替え処理部と、
を備えることを特徴とする画像処理装置。
【請求項２】
前記生成部は、
前記第１の色評価値と前記第２の色評価値との間の色を、前記挿入色として生成する
ことを特徴とする請求項１に記載の画像処理装置。
【請求項３】
前記生成部は、
前記第１の色評価値と前記第２の色評価値との間の色の補色を、前記挿入色として生成する
ことを特徴とする請求項１に記載の画像処理装置。
【請求項４】
前記生成部は、
前記第１の色評価値、前記第２の色評価値、前記第１の色評価値と前記第２の色評価値との間の色及び前記第１の色評価値と前記第２の色評価値との間の色の補色のうち、複数色を前記挿入色として生成する
ことを特徴とする請求項１に記載の画像処理装置。
【請求項５】
前記生成部は、
前記第１の色評価値、前記第２の色評価値、前記第１の色評価値と前記第２の色評価値との間の色及び前記第１の色評価値と前記第２の色評価値との間の色の補色との少なくとも一つと同輝度のモノクロ色を、前記挿入色として生成する
ことを特徴とする請求項１に記載の画像処理装置。
【請求項６】
前記生成部は、
前記第１の画像のフレーム内に含まれる色を所定の基準に基づいて区分けしたカラーマップと前記第２の画像のフレーム内に含まれる色を所定の基準に基づいて区分けしたカラーマップを合わせて得られた最大面積を有する少なくとも一つの色を、前記挿入色として生成する
ことを特徴とする請求項１に記載の画像処理装置。
【請求項７】
前記生成部は、
前記第１の画像のフレーム内に含まれる色を所定の基準に基づいて区分けしたカラーマップと前記第２の画像のフレーム内に含まれる色を所定の基準に基づいて区分けしたカラーマップから得られた少なくとも一つの共通色を、前記挿入色として生成する
ことを特徴とする請求項１に記載の画像処理装置。
【請求項８】
前記画像の動きベクトルを検出する動きベクトル検出部と、
前記画像から前記動きベクトル検出部により検出された動きベクトルの大きさが所定値以上であるか否かを判定する動きベクトル判定部と、
をさらに備え、
前記生成部は、
前記第１の画像から前記動きベクトル検出部により検出された動きベクトル、または前記第２の画像から前記動きベクトル検出部により検出された動きベクトルの大きさが所定値以上であると判定された場合、前記第１の色評価値と前記第２の色評価値との間の色の補色を、前記挿入色として生成する
ことを特徴とする請求項１から請求項７の何れか1項に記載の画像処理装置。
【請求項９】
前記動きベクトル検出部は、
前記画像が動画像である場合、前記画像の所定の複数フレームにおける動きベクトルを検出する
ことを特徴とする請求項８に記載の画像処理装置。
【請求項１０】
前記画像に関連付けられている音が所定の音量以上であるか否かを判定する音量判定部、
をさらに備え、
前記生成部は、
前記第１の画像に関連付けられている音、または前記第２の画像に関連付けられている音が所定の音量以上であると前記音量判定部により判定された場合、前記第１の色評価値と前記第２の色評価値との間の色の補色を、前記挿入色として生成する
ことを特徴とする請求項１から請求項９の何れか１項に記載の画像処理装置。
【請求項１１】
前記画像が動画像である場合、前記算出部により前記画像のフレーム毎に算出された評価値の前記フレーム間の変化率を算出する変化率算出部と、
前記変化率算出部により算出された変化率が所定の変化率以上であるか否かを判定する色変化判定部と、
をさらに備え、
前記生成部は、
前記第１の画像から変化率算出部により算出された変化率、または前記第２の画像から変化率算出部により算出された変化率が所定の変化率以上であると前記色変化判定部により判定された場合、前記第１の色評価値と前記第２の色評価値との間の色の補色を、前記挿入色として生成する
ことを特徴とする請求項１から請求項１０の何れか１項に記載の画像処理装置。
【請求項１２】
前記算出部は、
前記画像のフレーム内における画素の色データの加算平均値を前記評価値として算出する
ことを特徴とする請求項１から請求項１１の何れか１項に記載の画像処理装置。
【請求項１３】
前記算出部は、
前記画像が動画像である場合、前記画像のフレーム内における画素の色データの加算平均値を所定の複数フレーム分加算平均して前記評価値として算出する
ことを特徴とする請求項１から請求項１１の何れか１項に記載の画像処理装置。
【請求項１４】
前記算出部は、
前記画像が動画像である場合、前記第１の画像の最後のフレーム内における画素の色データの加算平均値を前記第１の色評価値として算出するとともに、前記第２の画像の最初のフレーム内における画素の色データの加算平均値を前記第２の色評価値として算出する
ことを特徴とする請求項１から請求項１１の何れか１項に記載の画像処理装置。
【請求項１５】
前記算出部は、
前記第１の画像及び前記第２の画像との少なくとも一方のフレーム内における画素の色データについて、同系色同士の画素の色データをグループ化し、前記グループから前記評価値を算出する
ことを特徴とする請求項１から請求項１１の何れか１項に記載の画像処理装置。
【請求項１６】
前記算出部は、
前記第１の画像及び前記第２の画像との少なくとも一方のフレーム内の画素の色データの平均に基づいた色を用いて前記評価値を算出する
ことを特徴とする請求項１から請求項１１の何れか１項に記載の画像処理装置。
【請求項１７】
前記算出部は、
前記第１の画像及び前記第２の画像との少なくとも一方のフレーム内の画素の色データの最大面積を用いて前記評価値を算出する
ことを特徴とする請求項１から請求項１１の何れか１項に記載の画像処理装置。
【請求項１８】
前記算出部は、
前記第１の画像及び前記第２の画像との少なくとも一方のフレーム内における画素の色データの占める面積を大きい順に並べて前記評価値を算出する
ことを特徴とする請求項１から請求項１１の何れか１項に記載の画像処理装置。
【請求項１９】
前記算出部は、
前記第１の画像及び前記第２の画像との少なくとも一方のフレーム内におけて画素の色データから所定の基準に基づいて区分けしたカラーマップを作成し、前記カラーマップによって前記評価値を算出する
ことを特徴とする請求項１から請求項１１の何れか１項に記載の画像処理装置。
【請求項２０】
前記切替え処理部は、
前記第１の画像及び前記第２の画像のどちらか一方の画像を切替える処理として、前記どちらか一方の画像の他方に前記第１の画像及び前記第２の画像に切替える処理を前記挿入色に基づいたトランジション処理とする
ことを特徴とする請求項１から請求項１９の何れか１項に記載の画像処理装置。
【請求項２１】
前記切替え処理部は、
前記第１の画像から前記第２の画像に切替える処理として、前記第１の画像から前記第２の画像に切替える処理を前記挿入色に基づいたフェードイン処理またはフェードアウト処理とする
ことを特徴とする請求項１から請求項１９の何れか１項に記載の画像処理装置。
【請求項２２】
請求項１から請求項２１の何れか１項に記載の画像処理装置と、
前記第１の画像と前記第２の画像とを表示する表示部と、
前記第１の画像から前記第２の画像に切替えて表示させる場合に、前記切替え期間に前記挿入色の切替え画像を挿入して表示部に表示させる表示制御部と、
を備えることを特徴とする画像表示装置。
【請求項２３】
請求項１から請求項２１の何れか１項に記載の画像処理装置
を備えることを特徴とする撮像装置。
【請求項２４】
前記画像を記録する記録部と、
動画像を記録する場合、前記動画像の記録開始直後の所定のフレーム期間、または記録停止の直前の所定のフレーム期間に、前記挿入色の前記切替え画像を挿入して前記記録部に記録する記録制御部と、
を備えることを特徴とする請求項２３に記載の撮像装置。
【請求項２５】
画像処理装置としてのコンピュータに、
画像に基づいて前記画像の色の属性に関する評価値を算出する算出手順と、
第１の画像から第２の画像に切替えて表示される場合の切替え期間に挿入される切替え画像の色である挿入色を、前記第１の画像に基づいて算出された前記評価値である第１の色評価値と前記第２の画像に基づいて算出された前記評価値である第２の色評価値とに基づいて生成する生成手順と、
前記切替え期間に前記挿入色の前記切替え画像を挿入して、前記第１の画像から前記第２の画像に切替える処理をする切替え処理手順と、
を実行させるためのプログラム。
【請求項２６】
前記第１の色評価値と前記第２の色評価値との間の色は、前記第１の色評価値と前記第２の色評価値との中間値となる色であることを特徴とする請求項３〜５及び８〜２４に記載の画像処理装置。
【発明の詳細な説明】
【技術分野】
【０００１】
本発明の態様は、画像処理装置、画像表示装置、撮像装置、及びプログラムに関する。
本願は、２０１１年４月２６日に出願された日本国特願２０１１−０９８１８８号に基づき優先権を主張し、その内容をここに援用する。
【背景技術】
【０００２】
複数の画像を切り替えて表示する際に、フェードイン処理やフェードアウト処理等のトランジション処理を挿入する技術が知られている。
例えば、異なる２つの動画像を切り替えて表示する際に、トランジション処理を挿入してつなぎ合わせる編集技術として、２つの動画像それぞれのフレームの内、同じ色またはその近傍色があるフレームを、トランジション処理を挿入してつなぎ合わせる編集技術がある（例えば、特許文献１参照）。
【先行技術文献】
【特許文献】
【０００３】
【特許文献１】特開２００７−１８４８６９号公報
【発明の概要】
【発明が解決しようとする課題】
【０００４】
ところで、撮像された画像の色味は、撮影場所や被写体の種類によって様々である。それに対して、画像を切替えて表示する際のフェードイン処理やフェードアウト処理に用いられる色は、一般的に黒色または白色である場合が多くその他の色が用いられることは少ない。例えば、赤っぽい色味の複数の画像間に、黒色によるフェードイン処理やフェードアウト処理が挿入されて順次切替え表示される場合、表示される画像の色味が交互に赤色と黒色とに切替わることにより画面のちらつきが多くなり、ユーザーにとって不快に感じられる場合がある。一方、スポーツやロックコンサート等のような動きの激しい被写体が撮像された複数の動画像が順次切替え表示される場合、複数の動画像間に黒色または白色による処理が挿入されると、動画像から感じられるべき躍動感が遮断され、ユーザーにとって不快に感じられる場合がある。【０００５】
また、特許文献１に示す画像処理装置にあっては、２つの動画像それぞれのフレームのうち、同じ色またはその近傍色があるフレームにトランジション処理を挿入して２つの動画像を切替えることができるが、２つの動画像に同じ色またはその近傍色が含まれない場合には適応できないことがある。【０００６】
本発明の態様は、ユーザーにとって不快感が少ないように画像を切替えることができる画像処理装置、画像表示装置、撮像装置、及びプログラムを提供する。
【課題を解決するための手段】
【０００７】
この発明の態様は画像に基づいて前記画像の色の属性に関する評価値を算出する算出部と、第１の画像から第２の画像に切替えて表示する際の切替え期間に挿入される切替え画像の色である挿入色を、前記第１の画像に基づいて前記算出部により算出された評価値である第１の色評価値と前記第２の画像に基づいて前記算出部により算出された評価値である第２の色評価値との少なくとも一方に基づいて生成する生成部と、前記切替え期間に前記挿入色の前記切替え画像を挿入して、前記第１の画像から前記第２の画像に切替える処理をする切替え処理部と、を備えることを特徴とする画像処理装置である。【０００８】
また、本発明の態様は、上述の画像処理装置と、前記第１の画像と前記第２の画像とを表示する表示部と、前記第１の画像から前記第２の画像に切替えて表示させる場合に、前記切替え期間に前記挿入色の切替え画像を挿入して表示部に表示させる表示制御部と、を備えることを特徴とする画像表示装置である。【０００９】
また、本発明の態様は、上述の画像処理装置を備えることを特徴とする撮像装置である。【００１０】
また、本発明の態様は、画像処理装置としてのコンピュータに、画像に基づいて前記画像の色の属性に関する評価値を算出する算出手順と、第１の画像から第２の画像に切替えて表示される場合の切替え期間に挿入される切替え画像の色である挿入色を、前記第１の画像に基づいて算出された前記評価値である第１の色評価値と前記第２の画像に基づいて算出された前記評価値である第２の色評価値とに基づいて生成する生成手順と、前記切替え期間に前記挿入色の前記切替え画像を挿入して、前記第１の画像から前記第２の画像に切替える処理をする切替え処理手順と、を実行させるためのプログラムである。
【発明の効果】
【００１１】
この発明の態様によれば、ユーザーにとって不快感が少ないように画像を切替えることができる。
【図面の簡単な説明】
【００１２】
【図１】本発明の一実施形態による画像表示装置の構成を示す概略ブロック図である。
【図２】静止画像をトランジション処理により切替える処理の一例を示す図である。
【図３】動画像をトランジション処理により切替える処理の一例を示す図である。
【図４】画像を切替える際に中間色を挿入色とする場合の一例を示す図である。
【図５】中間色を挿入色とした切替え処理の一例を示すフローチャートである。
【図６】画像を切替える際に中間色の補色を挿入色とする場合の一例を示す図である。
【図７】画像の動きベクトルの大きさに応じた挿入色による切替え処理の一例を示すフローチャートである。
【図８】画像の色の変化率に応じた挿入色による切替え処理の一例を示すフローチャートである。
【図９】画像の音量に応じた挿入色による切替え処理の一例を示すフローチャートである。
【図１０】表示画像の前または後に画像が無い場合の切替え処理の一例を示すフローチャートである。
【図１１】１枚のみ動画像を表示開始する場合の切替え処理の一例を示すフローチャートである。
【図１２】１枚のみ動画像を表示終了する場合の切替え処理の一例を示すフローチャートである。
【図１３】本発明の一実施形態による撮像装置の構成を示す概略ブロック図である。
【図１４】撮像された動画像に挿入色による切替え処理をして記録する処理の一例を示すフローチャートである。
【図１５】画像をトランジション処理により切替える処理の一例を示す図である。
【図１６Ａ】画像をトランジション処理により切替える処理の一例を示す図である。
【図１６Ｂ】画像をトランジション処理により切替える処理の一例を示す図である。
【図１７】画像をトランジション処理により切替える処理の一例を示す図である。
【発明を実施するための形態】
【００１３】
以下、図面を参照して、本発明の実施の形態について説明する。図１は、本発明の一実施形態による画像表示装置１００の構成を示す概略ブロック図である。
図１に示す画像表示装置１００は、画像処理装置１、表示制御部１１０、表示部１２０、外部出力部１３０、及びバス１０Ａを備えている。
【００１４】
表示制御部１１０は、画像処理装置１により処理された画像を表示部１２０に表示させる。例えば、スライドショー再生を実行して画像表示装置１００で画像を順次切替えて表示する場合、表示制御部１１０は、画像処理装置１においてトランジション処理が加えられた画像を表示部１２０に表示させる。
表示部１２０は、例えば、液晶ディスプレイであり、表示制御部１１０の制御により画像処理装置１において処理された画像、またはメニュー画面などを表示する。例えば、表示部１２０は、画像をスライドショー再生で表示する。ここで、スライドショー再生とは、予め設定された１画像あたりの表示時間を表示したあとに、操作者に、または、記録されている動画像の時間により、画像を順次切替えて表示（再生）するような再生動作のことをいう。
尚、本発明の実施の形態で説明する画像とは、静止画像または動画像である。
【００１５】
外部出力部１３０は、例えば、ピン端子、またはＨＤＭＩ（High-Definition Multimedia Interface）端子等を有している。外部出力部１３０は、画像処理装置１において処理された画像、またはメニュー画面などの画像信号を外部の表示装置に出力する。
バス１０Ａは、画像処理装置１が備える各部、表示制御部１１０、及び外部出力部１３０と接続され、各部から出力された画像データや制御信号等を転送する。
【００１６】
画像処理装置１は、画像処理部２、記憶部４、バッファメモリ部５、記憶装置６、操作部７を備えている。
画像処理部２は、記憶装置６に記憶されている画像を読み出して表示制御部１１０を介して表示部１２０にさせる。例えば、画像処理部２は、記憶装置６に記憶されている圧縮処理された画像データ（例えば、ＪＰＥＧ方式により圧縮された画像データ）を読み出して、前記画像データに伸張処理した画像を生成して表示部１２０に表示させる。また、画像処理部２は、記憶装置６に記憶されている画像データを読み出して、外部出力部１３０を介して接続された外部の表示装置に適応する出力フォーマットに変換した画像（画像信号）を出力する。
【００１７】
また、画像処理部２は、操作者により操作部７が操作されるのに応じて、記憶装置６から読み出した画像のスライドショー再生を実行する。例えば、画像処理部２は、複数の画像を順次切替える場合、切替え前後の画像の色の属性に関する評価値に基づいて、画像間に挿入する切替え画像の色（以下、挿入色）を算出する。そして、算出した挿入色によるトランジション処理を加えて画像を順次切替える。この画像処理部２による画像の切替え処理の詳細については後述する。
【００１８】
記憶部４には、画像表示装置１００を制御するための、予め定められた画像処理条件、再生制御条件、表示制御条件、及び出力制御条件などが記憶されている。例えば、記憶部４は、ＲＯＭ（Read Only Memory）である。
【００１９】
バッファメモリ部５は、画像処理部２が画像表示装置１００を制御する際の作業領域として利用される。記憶装置６から読み出された画像データは、画像処理部２による画像処理の過程においてバッファメモリ部５に一時的に記憶される。バッファメモリ部５は、例えばＲＡＭ（Random Access Memory）である。
【００２０】
記憶装置６は、メモリカード等の着脱可能な記憶媒体３００が挿入される。記憶媒体３００には画像データが記録されており、前記画像データは、画像処理部２により読み出される。なお、記憶装置６は、ハードディスク装置や光磁気ディスク装置、フラッシュメモリ等の不揮発性のメモリ、またはこれらの組み合わせにより構成されていてもよい。また、記憶装置６は、画像表示装置１００の内部に設けられていてもよいし、外部装置として画像表示装置１００に接続されていてもよい。
【００２１】
操作部７は、画像表示装置１００に対して操作者が操作入力するための操作スイッチを有している。例えば、操作部７は、電源スイッチ、モードスイッチ、メニュースイッチ、上下左右選択スイッチ、確定スイッチ、取消スイッチ、及びその他の操作スイッチ等を有している。また、操作部７は、タッチパネル、キーボード、またはマウス等の入力デバイスであってもよい。
【００２２】
例えば、操作者が操作部７を操作することにより、スライドショー再生を実行するか否かを選択する画面、スライドショー再生時の１画像あたりの表示時間を設定する画面、または、画像を切替える際のトランジション処理の種類を選択する画面などのメニュー画面が表示部１２０に表示され、それぞれ選択または設定された内容を示す信号が操作部７から画像処理部２に出力される。
【００２３】
次に、画像処理部２の構成について詳しく説明する。
画像処理部２は、評価値算出部（算出部）２１、挿入色生成部（生成部）２２、動きベクトル検出部２３、動きベクトル判定部２４、変化率算出部２５、色変化判定部２６、音量判定部２７、及び切替え処理部２８を備えている。
【００２４】
評価値算出部２１は、画像に基づいて画像の色の属性に関する評価値を算出する。ここで、色の属性とは色相、明度、または彩度等である。例えば、評価値算出部２１は、画像内（画像のフレーム内）における画素の色データの加算平均値を評価値として算出する。具体的には、評価値算出部２１は、画像内における全画素のＲ（赤）、Ｇ（緑）、Ｂ（青）データの加算平均値を評価値として算出する。なお、評価値算出部２１は、Ｒ（赤）、Ｇ（緑）、Ｂ（青）データに代えて、例えば、Ｙ、Ｃｒ、Ｃｂデータ（Ｙは輝度信号、Ｃｒ,Ｃｂは色差信号）等、色の属性に関するその他のデータとしてもよい。また、評価値算出部２１は、画像内における全画素のデータの加算平均値を評価値として算出するのに代えて、画像内における予め定められた範囲の画素のデータの加算平均値を評価値として算出してもよい。
【００２５】
また、評価値算出部２１は、画像が動画像である場合、動画像のフレーム内における画素の色データの加算平均値を所定の複数フレーム分加算平均して評価値として算出する。
なお、評価値算出部２１は、画像が動画像である場合、動画像の予め定められた１つのフレーム内における画素の色データの加算平均値を評価値として算出してもよい。例えば、評価値算出部２１は、画像が動画像である場合、動画像の最後のフレーム内における画素の色データの加算平均値を評価値として算出してもよいし、動画像の最初のフレーム内における画素の色データの加算平均値を評価値として算出してもよい。
【００２６】
挿入色生成部２２は、画像表示装置１００において画像を順次切替えて表示する場合、切替え前の画像（第１の画像）から切替え後の画像（第２の画像）に切替えて表示する際の切替え期間に挿入される切替え画像の色である挿入色を生成する。例えば、挿入色生成部２２は、切替え前の画像（第１の画像）に基づいて評価値算出部２１により算出された切替え前の画像（第１の画像）の評価値（第１の色評価値）と、切替え後の画像（第２の画像）に基づいて評価値算出部２１により算出された切替え後の画像（第２の画像）の評価値（第２の色評価値）とに基づいて挿入色を生成する。
【００２７】
ここで、本実施形態において、切替え前後の画像について、切替え前の画像を第１の画像、切替え後の画像を第２の画像とも記述する。また、評価値算出部２１により算出された切替え前の画像（第１の画像）の評価値を第１の色評価値、評価値算出部２１により算出された切替え後の画像（第２の画像）の評価値を第２の色評価値とも記述する。
【００２８】
挿入色生成部２２は、例えば、第１の色評価値と第２の色評価値との間の色（中間値となる色、中間値付近の色、中間色）を、挿入色として生成する。また、挿入色生成部２２は、第１の色評価値と第２の色評価値との間の色（中間値となる色、中間値付近の色、中間色）の補色（反対色）を、挿入色として生成する。
なお、挿入色として生成される第１の色評価値と第２の色評価値との間の色は、第１の色評価値と第２の色評価値との中間値のみに限られず、中間値近傍やそれより広い範囲の色であってもよい。中間色は、中間色と類似する色を含んでもよい。
また、中間色とその中間色の補色とは、例えば、第１の色評価値が赤色であって第２の色評価値が青色である場合、色相環において赤色と青色との中間に位置する色である紫色が中間色であって、その中間色の正反対に位置する色である黄緑色が補色である。また、挿入色生成部２２は、後述する画像の動きベクトル、画像の音の音量、または画像の色の変化率等の条件によって、中間色を挿入色とするか中間色の補色を挿入色とするかを選択する。
【００２９】
動きベクトル検出部２３は、画像の動きベクトルを検出する。つまり、動きベクトル検出部２３は、動きベクトルを検出することにより画像の動きの激しさを検出する。動きベクトル検出部２３は、画像が動画像である場合、前記画像の所定の複数フレームにおける動きベクトルを検出する。所定の複数フレームにおける動きベクトルとは、動画像の予め定められた期間における動きベクトルであって、例えば、動画像の最初のフレームを含む所定の期間、最後のフレームを含む所定の期間、途中のフレームの所定の期間、または全てフレームの期間等である。
【００３０】
例えば、動きベクトル検出部２３は、動画像における主要被写体画像のフレーム間の動きを動きベクトルとして検出する。なお、動きベクトル検出部２３は、動画像における主要被写体画像以外の背景画像のフレーム間の動きを動きベクトルとして検出するように設定されてもよい。また、動きベクトル検出部２３は、静止画像の場合であって、静止画像が撮像された際の被写体の動き量（例えば、被写体の動きの速さまたは激しさを示す量）が静止画像に関連付けられている場合、この関連付けられている動き量を動きベクトルとして検出してもよい。また、静止画像における主要被写体画像または背景画像の像流れの程度から静止画像が撮像された際の動き量を推定して、この推定した動き量を動きベクトルとして検出してもよい。なお、画像から主要被写体画像または背景画像を推定する方法は、画像のパターンマッチングにより推定する方法、動きベクトルにより推定する方法、撮像レンズの焦点距離情報により推定する方法、または被写体の特徴量（大きさ、形、色等）により推定する方法等、公知の技術を適用することができる。
【００３１】
動きベクトル判定部２４は、画像から動きベクトル検出部２３により検出された動きベクトルの大きさが所定値以上であるか否かを判定する。この所定値は、画像の動きの激しさを判定するために予め定められた値であって、挿入色生成部２２が中間色を挿入色とするか中間色の補色を挿入色とするかを選択するための判定条件として設定されている閾値である。すなわち、動きベクトル判定部２４は、動きベクトル検出部２３により検出された動きベクトルの大きさに基づいて、動きの激しい（動きベクトルの大きさが大きい）画像であるか動きの激しくない（動きベクトルの大きさが小さい）画像であるかを判定する。
【００３２】
変化率算出部２５は、画像が動画像である場合、評価値算出部２１により前記動画像のフレーム毎に算出された色の属性に関する評価値のフレーム間の変化率を算出する。つまり、変化率算出部２５は、評価値のフレーム間の変化率を算出することにより動画像の色変化の激しさを算出する。
【００３３】
色変化判定部２６は、変化率算出部２５により算出された変化率が所定の変化率以上であるか否かを判定する。この所定の変化率は、画像の色の変化の激しさを判定するために予め定められた値であって、挿入色生成部２２が中間色を挿入色とするか中間色の補色を挿入色とするかを選択するための判定条件として設定されている閾値である。すなわち、色変化判定部２６は、変化率算出部２５により算出された変化率に基づいて、色の変化が激しい（変化率が大きい）動画像であるか、色の変化が激しくない（変化率が小さい）動画像をあるかを判定する。
【００３４】
音量判定部２７は、画像に関連付けられている音が所定の音量以上であるか否かを判定する。この所定の音量は、画像に関連付けられている音の騒がしさを判定するために予め定められた値であって、挿入色生成部２２が中間色を挿入色とするか中間色の補色を挿入色とするかを選択するための判定条件として設定されている閾値である。例えば、音量判定部２７は、動画像に記録されている音の騒がしさ（音量）を判定する。また、音量判定部２７は、静止画像に記録されている音の騒がしさ（音量）を判定する。静止画像に記録されている音は、例えば、静止画像が撮像される際に、予め設定された期間（例えば、レリーズ押下後の１０秒間など）に検出されて記録された音である。また、静止画像に記録されている音は、記録されている静止画像に関連付けて後から録音された音であってもよい。
【００３５】
具体的には、音量判定部２７は、画像に関連付けられている音が録音されている録音時間における音量の最大値、音量の平均値、または予め設定された期間の音量の最大値若しくは平均値等、を前記画像に関連付けられている音の音量として所定の音量以上であるか否かを判定する。なお、音量判定部２７は、画像に関連付けられている音が録音されている録音時間において予め設定された閾値を超える音量となる期間の割合等に基づいて、前記音が所定の音量以上であるか否かを判定してもよい。
【００３６】
切替え処理部２８は、第１の画像から第２の画像に切替わる切替え期間に、挿入色生成部２２により生成された挿入色の切替え画像を挿入して、第１の画像から第２の画像に切替える処理をする。例えば、切替え処理部２８は、第１の画像から第２の画像に切替える処理として、挿入色に基づいたトランジション処理をする。
【００３７】
表示制御部１１０は、第１の画像から第２の画像に切替えて表示させる場合に、切替え期間に挿入色の切替え画像を挿入して表示部１２０に表示させる。つまり、切替え処理部２８が切替え期間に挿入色の切替え画像を挿入して第１の画像から第２の画像に切替える処理を行い、その切替え処理に基づいて、表示制御部１１０は、第１の画像から第２の画像に切替えて表示部１２０に表示させる。よって、表示部１２０は、切替え期間に挿入色の切替え画像が挿入されて切替えられる第１の画像と第２の画像とを表示する。これにより、画像表示装置１００は、切替え前後の画像の色の評価値に基づいて生成した挿入色（中間色または中間色の補色）の切替え画像を挿入して順次画像を切替えて表示することができる。例えば、画像表示装置１００は、生成した挿入色（中間色または中間色の補色）に基づいたトランジション処理により順次画像を切替えて表示するスライドショー再生を実行することができる。
【００３８】
なお、以下の実施形態においては、第１の画像から第２の画像に切替える際のトランジション処理を、フェードイン処理またはフェードアウト処理とした場合を例にして説明する。
図２は、静止画像をトランジション処理により切替える処理の一例を示す図である。図２は、第１の画像から挿入色にフェードアウトし、挿入色から第２の画像にフェードインして画像を切替える処理を、横軸を時間軸として示している。
【００３９】
切替え処理部２８は、時刻ｔ１から時刻ｔ４の期間（期間ＳＴ１）において、トランジション処理により第１の画像から第２の画像に切替える。すなわち、期間ＳＴ１は、トランジション処理期間（切替え期間）である。そして、期間ＳＴ１の内、時刻ｔ１から時刻ｔ２の期間（期間ＳＴ２）において、切替え処理部２８は、第１の画像から挿入色にフェードアウトする処理を実行する。すなわち、期間ＳＴ２における画像は、切替え処理部２８によって生成された、第１の画像から徐々に挿入色に移り変わる合成画像である。次に、時刻ｔ２から時刻ｔ３の期間（期間ＳＴ３）において、切替え処理部２８は、挿入色の切替え画像を挿入する。続いて、時刻ｔ３から時刻ｔ４の期間（期間ＳＴ４）において、切替え処理部２８は、挿入色から第２の画像にフェードインする処理を実行する。すなわち、期間ＳＴ４における画像は、切替え処理部２８によって生成された、挿入色から徐々に第２の画像に移り変わる合成画像である。このように、切替え処理部２８は、例えば、挿入色にフェードアウトし、そして挿入色からフェードインするトランジション処理により、第１の画像から第２の画像に切替える処理をする。
【００４０】
図３は、動画像をトランジション処理により切替える処理の一例を示す図である。図３は、図２と同様に、第１の画像から挿入色にフェードアウトし、挿入色から第２の画像にフェードインして画像を切替える処理を、横軸を時間軸として示している。
図２の静止画像の場合と異なるのは、動画像である場合、第１の画像及び第２の画像がそれぞれ複数のフレーム画像により構成されていることである。
【００４１】
例えば、評価値算出部２１は、第１の画像の最後のフレーム内における画素の色データの加算平均値を第１の色評価値として算出し、第２の画像の最初のフレーム内における画素の色データの加算平均値を第２の色評価値として算出する。この第１の色評価値を算出する際の第１の画像の最後のフレームは、時刻ｔ２の直前のフレーム（ｎ）であって、フェードアウト処理がされる前のフレームである。また、この第２の色評価値を算出する際の第２の画像の最初のフレームは、時刻ｔ３の直後のフレーム（１）であって、フェードイン処理がされる前のフレームである。挿入色生成部２２は、第１の色評価値と第２の色評価値とに基づいて挿入色を生成する。切替え処理部２８は、この生成された挿入色に基づいて、期間ＳＴ１において図２の期間ＳＴ１と同様にトランジション処理を実行する。
なお、期間ＳＴ２のフェードアウト処理において、切替え処理部２８は、第１の画像から徐々に挿入色に移り変わる合成画像をフレーム毎に生成する。また、期間ＳＴ４のフェードイン処理において、切替え処理部２８は、挿入色から徐々に第２の画像に移り変わる合成画像をフレーム毎に生成する。このように、動画像を切替える場合においても、切替え処理部２８は、例えば、挿入色にフェードアウトし、そして挿入色からフェードインするトランジション処理により、第１の画像から第２の画像に切替える処理をする。
【００４２】
以下に、画像処理装置１を有する画像表示装置１００が、切替え前後の画像の色の評価値に基づいて挿入色を生成して画像を切替える処理について、例を挙げて順に説明する。
＜中間色を挿入色に設定する例＞
図４は、画像を切替える際に中間色を挿入色とする場合の一例を示す図である。
図４に示す第１の画像３０は、画像の殆どの領域を青い空が占めている構図の画像である。
また、第２の画像５０は、画像の殆どの領域を黄色の花畑が占めている構図の画像である。この画像の例において、評価値算出部２１により算出される評価値は、第１の色評価値が青色（より正確には、青色に近い色）であり、第２の色評価値が黄色（より正確には、黄色に近い色）である。そして、挿入色生成部２２は、第１の色評価値と第２の色評価値との中間色である緑色４０（より正確には、緑色に近い色）を挿入色として生成する。これにより、切替え処理部２８は、青い空の画像（第１の画像３０）から緑色４０（より正確には、緑色に近い色）の画像にフェードインし、緑色４０（より正確には、緑色に近い色）の画像から黄色の花畑の画像（第２の画像５０）にフェードアウトする切替え処理をする。ここで、近い色とは、換言すれば、類似する色、同系色のことである。
【００４３】
図５は、中間色を挿入色とした切替え処理の一例を示すフローチャートである。図５を用いて、上述した図４に示す画像を例とする中間色を挿入色としたトランジション処理による切替え処理の動作について説明する。
まず初めに、評価値算出部２１は、切替え前後の第１の画像の色評価値及び第２の画像の色評価値を算出する。例えば、評価値算出部２１は、第１の画像３０に基づいて、青色（より正確には、青色に近い色）を示す評価値を第１の色評価値として算出する。また、評価値算出部２１は、第２の画像５０に基づいて、黄色（より正確には、黄色に近い色）を示す評価値を第２の色評価値として算出する（ステップＳ１１）。
【００４４】
次に、挿入色生成部２２は、第１の画像の色評価値である第１の色評価値と第２の画像の色評価値である第２の色評価値とに基づいて、第１の色評価値と第２の色評価値との中間値となる中間色を挿入色として算出する。例えば、挿入色生成部２２は、第１の色評価値として算出された青色（より正確には、青色に近い色）を示す評価値と、第２の色評価値として算出された黄色（より正確には、黄色に近い色）を示す評価値との中間色である緑色４０（より正確には、緑色に近い色）を挿入色として生成する（ステップＳ１２）。
【００４５】
そして、切替え処理部２８は、第１の画像から挿入色にフェードアウトし、挿入色から第２の画像にフェードインして画像を切替える。例えば、切替え処理部２８は、青い空の画像（第１の画像３０）から緑色４０（より正確には、緑色に近い色）の画像にフェードアウトし、緑色４０（より正確には、緑色に近い色）の画像から黄色の花畑の画像（第２の画像５０）にフェードインして画像を切替える（ステップＳ１３）。そして、表示制御部１１０は、この切替え処理により第１の画像から第２の画像に切替えて表示部１２０に表示させる。
【００４６】
このように、画像処理装置１は、切替え前後の画像の色評価値に基づいて、切替え前後の画像の色評価値の中間色を挿入色としたトランジション処理により画像を切替える。よって、画像表示装置１００は、切替え前後の画像の色に対して色の差が小さい色を挿入色としたトランジション処理により画像を切替えて表示することができる。これにより、画像処理装置１は、ユーザーにとって不快感が少ないように画像を切替えることができる。
すなわち、画像表示装置１００は、ユーザーにとって不快感が少ないように画像を切替えて表示することができる。
【００４７】
＜動きが激しい画像である場合に中間色の補色を挿入色に設定する例＞
図６は、画像を切替える際に中間色の補色を挿入色とする場合の一例を示す図である。
この図は、画像の動きベクトルの大きさが所定値以上である場合（すなわち、動きの激しい画像である場合）、画像処理装置１が切替え前後の画像の第１の色評価値と前記第２の色評価値との中間色の補色を挿入色として切替え処理をする場合の一例を示している。
【００４８】
図６に示す第１の画像６０及び第２の画像８０は、被写体の動きが激しいロックコンサートの様子が撮像された動画像である。そして、第１の画像６０は、室内空間の中で赤い照明に照らされており画像全体に赤色の色成分が多く含まれる画像である。また、第２の画像８０は、室内空間の中で黄色い照明に照らされており画像全体に黄色の色成分が多く含まれる画像である。この場合、評価値算出部２１に算出される評価値は、第１の色評価値が赤色（より正確には、赤色に近い色）であり、第２の色評価値が黄色（より正確には、黄色に近い色）である。そして、挿入色生成部２２は、第１の色評価値と第２の色評価値との中間色である橙色（より正確には、橙色に近い色）を生成する。
【００４９】
次に、動きベクトル検出部２３は、第１の画像６０及び第２の画像８０の動きベクトルを検出する。そして、動きベクトル判定部２４は、動きベクトル検出部２３により検出された動きベクトルの大きさが所定値以上である（動きが激しい）と判定する。挿入色生成部２２は、動きベクトル判定部２４により検出された動きベクトルの大きさが所定値以上である（動きが激しい）と判定されたため、第１の色評価値と第２の色評価値との中間色である橙色（より正確には、橙色に近い色）の補色である青色７０（より正確には、青色に近い色）を挿入色として生成する。これにより、切替え処理部２８は、赤味の画像（第１の画像６０）から青色７０（より正確には、青色に近い色）の画像にフェードインし、青色７０（より正確には、青色に近い色）の画像から黄色味の画像（第２の画像８０）にフェードアウトする切替え処理をする。
【００５０】
図７は、画像の動きベクトルの大きさに応じた挿入色による切替え処理の一例を示すフローチャートである。図７を用いて、上述した図６に示す画像を例とする中間色の補色を挿入色としたトランジション処理による切替え処理の動作について説明する。
まず初めに、評価値算出部２１は、切替え前後の第１の画像の色評価値及び第２の画像の色評価値を算出する。例えば、評価値算出部２１は、第１の画像６０に基づいて、赤色（より正確には、赤色に近い色）を示す評価値を第１の色評価値として算出する。また、評価値算出部２１は、第２の画像８０に基づいて、黄色（より正確には、黄色に近い色）を示す評価値を第２の色評価値として算出する（ステップＳ２１）。
【００５１】
次に、挿入色生成部２２は、第１の画像の色評価値である第１の色評価値と第２の画像の色評価値である第２の色評価値とに基づいて、第１の色評価値と第２の色評価値との中間値となる中間色を算出する。例えば、挿入色生成部２２は、第１の色評価値として算出された赤色（より正確には、赤色に近い色）を示す評価値と、第２の色評価値として算出された黄色（より正確には、黄色に近い色）を示す評価値との中間色である橙色（より正確には、橙色に近い色）を算出する（ステップＳ２２）。
【００５２】
続いて、動きベクトル検出部２３は、第１の画像の動きベクトルと第２の画像の動きベクトルとを検出する（ステップＳ２３）。次に、動きベクトル判定部２４は、第１の画像から動きベクトル検出部２３により検出された動きベクトル、または第２の画像から動きベクトル検出部２３により検出された動きベクトルの大きさが所定値以上であるか否か（動きが激しいか否か）を判定する（ステップＳ２４）。
【００５３】
ステップＳ２４において、動きベクトル判定部２４により、第１の画像から検出された動きベクトル、または第２の画像から検出された動きベクトルの大きさが所定値以上であると判定された場合（動きが激しいと判定された場合）、第１の色評価値と第２の色評価値との中間色の補色を挿入色として生成する。例えば、挿入色生成部２２は、ステップＳ２２において算出した中間色である橙色（より正確には、橙色に近い色）の補色である青色７０（より正確には、青色に近い色）を挿入色として生成する（ステップＳ２５）。すなわち、図６に示す挿入色の例の場合である。
【００５４】
一方、ステップＳ２４において、動きベクトル判定部２４により、第１の画像から検出された動きベクトル、または第２の画像から検出された動きベクトルの大きさが所定値未満であると判定された場合（動きが激しくないと判定された場合）、ステップＳ２２において算出した中間色を挿入色とする（ステップＳ２６）。
【００５５】
そして、ステップＳ２５またはステップＳ２６において生成された挿入色に基づいて、切替え処理部２８は、第１の画像から挿入色にフェードアウトし、挿入色から第２の画像にフェードインして画像を切替える（ステップＳ２７）。例えば、検出された動きベクトルの大きさが所定値以上の場合、切替え処理部２８は、赤味の画像（第１の画像６０）から青色７０（より正確には、青色に近い色）の画像にフェードインし、青色７０（より正確には、青色に近い色）の画像から黄色味の画像（第２の画像８０）にフェードアウトして切替える。また、検出された動きベクトルの大きさが所定値未満の場合、切替え処理部２８は、赤味の画像（第１の画像６０）から橙色（より正確には、橙色に近い色）の画像にフェードインし、橙色（より正確には、橙色に近い色）の画像から黄色味の画像（第２の画像８０）にフェードアウトして切替える。そして、表示制御部１１０は、この切替え処理により第１の画像から第２の画像に切替えて表示部１２０に表示させる。
【００５６】
このように、画像処理装置１は、切替え前後の画像の動きベクトルの大きさに基づいて、切替え前後の画像の色評価値の中間色を挿入色としたトランジション処理により画像を切替えるか、または、中間色の補色を挿入色としたトランジション処理により画像を切替えるかを変更する。例えば、動きの激しい画像を切替えて表示する場合、画像処理装置１は、中間色の補色を挿入色としたトランジション処理により画像を切替える。よって、動きの激しい画像（例えば、ロックコンサートまたはスポーツ等における動きの激しい画像）を切替えて表示する場合、画像表示装置１００は、切替え前後の画像の色に対して色の差が大きい色を挿入色としたトランジション処理により画像を切替えて表示することができる。これにより、画像表示装置１００は、動きの激しい画像を切替えて表示する際に、ユーザーにとって躍動感が遮断されないように画像を切替えて表示することができる。
一方、動きの激しくない画像を切替えて表示する場合、画像表示装置１００は、切替え前後の画像の色に対して色の差が小さい色を挿入色としたトランジション処理により画像を切替えて表示することができる。
【００５７】
＜色の変化が激しい画像である場合に中間色の補色を挿入色に設定する例＞
次に、画像を切替える際に中間色の補色を挿入色とする場合の別の例について説明する。ここでは、画像のフレーム毎に算出された評価値のフレーム間の変化率が所定の変化率以上である場合（すなわち、色の変化が激しい画像である場合）、画像処理装置１が切替え前後の画像の第１の色評価値と前記第２の色評価値との中間色の補色を挿入色としたトランジション処理による切替え処理をする例について説明する。
【００５８】
例えば、図６を用いて説明したようなロックコンサートが撮像された動画像であっても、動きの激しい被写体が画角に対して小さく撮像されている場合等においては、検出された動きベクトルの大きさが所定値より小さくなる場合がある。このような場合であっても、例えば、撮像された動画像の色の変化が激しい場合（例えば、ロックコンサートの照明の色が激しく変化している場合）は、画像の切替えの際に、ユーザーにとって躍動感が遮断されないように切替え処理がされることが望ましい。そのため、画像処理装置１は、画像のフレーム毎に算出された評価値のフレーム間の変化率が所定の変化率以上である場合（すなわち、色の変化が激しい画像である場合）、切替え前後の画像の第１の色評価値と前記第２の色評価値との中間色の補色を挿入色として切替え処理をする。
【００５９】
図８は、画像の色の変化率に応じた挿入色による切替え処理の一例を示すフローチャートである。図８を用いて、画像の色の変化率に応じた挿入色による切替え処理の動作について説明する。図８のステップＳ３１、ステップＳ３２、及びステップＳ３７は、図７のステップＳ２１、ステップＳ２２、及びステップＳ２７と同様の処理であり、その詳しい説明を省略する。
【００６０】
まず初めに、評価値算出部２１は、切替え前後の第１の画像の色評価値及び第２の画像の色評価値を算出する（ステップＳ３１）。次に、挿入色生成部２２は、第１の画像の色評価値（第１の色評価値）と第２の画像の色評価値（第２の色評価値）との中間値となる中間色を算出する（ステップＳ３２）。
【００６１】
変化率算出部２５は、評価値算出部２１により画像のフレーム毎に算出された色評価値のフレーム間の変化率を算出する。例えば、変化率算出部２５は、第１の画像の色評価値（第１の色評価値）と第２の画像の色評価値（第２の色評価値）との、それぞれのフレーム間の変化率を算出する（ステップＳ３３）。
【００６２】
次に、色変化判定部２６は、変化率算出部２５により算出された変化率が所定の変化率以上であるか否かを判定する。例えば、色変化判定部２６は、第１の画像から変化率算出部２５により算出された変化率、または第２の画像から変化率算出部２５により算出された変化率が所定の変化率以上であるか否かを判定する（ステップＳ３４）。
【００６３】
ステップＳ３４において、色変化判定部２６により、第１の画像から算出された変化率、または第２の画像から算出された変化率が所定の変化率以上であると判定された場合（色の変化が激しいと判定された場合）、挿入色生成部２２は、第１の色評価値と第２の色評価値との中間色（ステップＳ３２において算出された中間色）の補色を挿入色として生成する（ステップＳ３５）。
【００６４】
一方、ステップＳ３４において、色変化判定部２６により、第１の画像から算出された変化率、または第２の画像から算出された変化率が所定の変化率未満であると判定された場合（色の変化が激しくないと判定された場合）、挿入色生成部２２は、第１の色評価値と第２の色評価値との中間色（ステップＳ３２において算出された中間色）を挿入色として生成する（ステップＳ３６）。
【００６５】
そして、ステップＳ３５またはステップＳ３６において生成された挿入色に基づいて、切替え処理部２８は、第１の画像から挿入色にフェードアウトし、挿入色から第２の画像にフェードインして画像を切替える（ステップＳ３７）。
【００６６】
このように、画像処理装置１は、切替え前後の画像の色の変化率に基づいて、切替え前後の画像の色評価値の中間色を挿入色としたトランジション処理により画像を切替えるか、または、中間色の補色を挿入色としたトランジション処理により画像を切替えるかを変更する。例えば、色の変化が激しい画像を切替えて表示する場合、画像処理装置１は、中間色の補色を挿入色としたトランジション処理により画像を切替える。よって、色の変化が激しい画像（例えば、ロックコンサートにおける照明の色の変化が激しい画像）を切替えて表示する場合、画像表示装置１００は、切替え前後の画像の色に対して色の差が大きい色を挿入色としたトランジション処理により画像を切替えて表示することができる。これにより、画像表示装置１００は、色の変化が激しい画像を切替えて表示する際に、ユーザーにとって躍動感が遮断されないように画像を切替えて表示することができる。
一方、色の変化が激しくない画像を切替えて表示する場合、画像表示装置１００は、切替え前後の画像の色に対して色の差が小さい色を挿入色としたトランジション処理により画像を切替えて表示することができる。
【００６７】
＜音が騒がしい場合に中間色の補色を挿入色に設定する例＞
次に、画像を切替える際に中間色の補色を挿入色とする場合のさらに別の例について説明する。ここでは、画像に関連付けられている音が所定の音量以上である場合（すなわち、音が騒がしい画像である場合）、画像処理装置１が切替え前後の画像の第１の色評価値と前記第２の色評価値との中間色の補色を挿入色としたトランジション処理による切替え処理をする例について説明する。
【００６８】
例えば、図６を用いて説明したようなロックコンサートが撮像された動画像であっても、動きの激しい被写体が画角に対して小さく撮像されている場合等においては、検出された動きベクトルの大きさが所定値より小さくなる場合がある。このような場合であっても、例えば、撮像された動画像の音が騒がしい場合（例えば、撮像されたロックコンサートにおける音量が大きい場合）は、画像の切替えの際に、ユーザーにとって躍動感が遮断されないように切替え処理がされることが望ましい。そのため、画像処理装置１は、画像に関連付けられている音が所定の音量以上である場合（すなわち、音が騒がしい画像である場合）、切替え前後の画像の第１の色評価値と前記第２の色評価値との中間色の補色を挿入色として切替え処理をする。
【００６９】
図９は、画像の音量に応じた挿入色による切替え処理の一例を示すフローチャートである。図９を用いて、画像の音量に応じた挿入色による切替え処理の動作について説明する。図９のステップＳ４１、ステップＳ４２、及びステップＳ４７は、図７のステップＳ２１、ステップＳ２２、及びステップＳ２７と同様の処理であり、その詳しい説明を省略する。
【００７０】
まず初めに、評価値算出部２１は、切替え前後の第１の画像の色評価値及び第２の画像の色評価値を算出する（ステップＳ４１）。次に、挿入色生成部２２は、第１の画像の色評価値（第１の色評価値）と第２の画像の色評価値（第２の色評価値）との中間値となる中間色を算出する（ステップＳ４２）。
【００７１】
音量判定部２７は、第１の画像に関連付けられている音の音量と第２の画像に関連付けられている音の音量とを、それぞれの画像に関連付けられている音データから読み出す（ステップＳ４３）。次に、音量判定部２７は、第１の画像に関連付けられている音、または第２の画像に関連付けられている音が所定の音量以上であるか否かを判定する（ステップＳ４４）。
【００７２】
ステップＳ４４において、音量判定部２７により、第１の画像に関連付けられている音、または第２の画像に関連付けられている音が所定の音量以上であると判定された場合（音が騒がしいと判定された場合）、挿入色生成部２２は、第１の色評価値と第２の色評価値との中間色（ステップＳ４２において算出された中間色）の補色を挿入色として生成する（ステップＳ４５）。
【００７３】
一方、ステップＳ４４において、音量判定部２７により、第１の画像に関連付けられている音、または第２の画像に関連付けられている音が所定の音量未満であると判定された場合（音が騒がしくないと判定された場合）、挿入色生成部２２は、第１の色評価値と第２の色評価値との中間色（ステップＳ４２において算出された中間色）を挿入色として生成する（ステップＳ４６）。
【００７４】
そして、ステップＳ４５またはステップＳ４６において生成された挿入色に基づいて、切替え処理部２８は、第１の画像から挿入色にフェードアウトし、挿入色から第２の画像にフェードインして画像を切替える（ステップＳ４７）。
【００７５】
このように、画像処理装置１は、切替え前後の画像に関連付けられている音の音量に基づいて、切替え前後の画像の色評価値の中間色を挿入色としたトランジション処理により画像を切替えるか、または、中間色の補色を挿入色としたトランジション処理により画像を切替えるかを変更する。例えば、関連付けられている音の音量が大きい画像を切替えて表示する場合、画像処理装置１は、中間色の補色を挿入色としたトランジション処理により画像を切替える。よって、関連付けられている音の音量が大きい画像（例えば、ロックコンサート等のような音が騒がしい画像）を切替えて表示する場合、画像表示装置１００は、切替え前後の画像の色に対して色の差が大きい色を挿入色としたトランジション処理により画像を切替えて表示することができる。これにより、画像表示装置１００は、色の変化が激しい画像を切替えて表示する際に、ユーザーにとって躍動感が遮断されないように画像を切替えて表示することができる。
一方、関連付けられている音の音量が小さい画像を切替えて表示する場合、画像表示装置１００は、切替え前後の画像の色に対して色の差が小さい色を挿入色としたトランジション処理により画像を切替えて表示することができる。
【００７６】
＜表示画像の前または後に画像が無い場合の例＞
次に、表示画像の前または後に画像が無い場合のトランジション処理の例について説明する。表示画像の前または後に画像が無い場合とは、以下のような場合である。
（１）１枚のみの画像を表示開始または表示終了する場合。
（２）スライドショー再生における最初の画像を表示開始する場合。
（３）スライドショー再生における最後の画像を表示終了する場合。
このような場合、画像表示装置１００は、画像を表示開始または表示終了する際に、前記画像の色評価値と同じ値の色、または前記画像の色評価値と同じ値の色の補色を挿入色としてトランジション処理をする。
【００７７】
例えば、１枚のみの画像を表示開始する場合、またはスライドショー再生における最初の画像を表示開始する場合は、切替え前の画像（第１の画像）が無い状態である。この場合、画像表示装置１００は、これから表示する切替え後の画像（第２の画像）と第１の画像とが同じ画像であるとして処理をする。これにより、第１の色評価値が第２の色評価値と同じになり、第１の色評価値と第２の色評価値との中間色は、第２の色評価値と同じ値の色になる。すなわち、画像表示装置１００は、これから表示する切替え後の画像（第２の画像）の色評価値と同じ値の色、または前記色の補色を挿入色としてトランジション処理をすることができる。
【００７８】
一方、１枚のみの画像を表示終了する場合、またはスライドショー再生における最後の画像を表示終了する場合は、切替え後の画像（第２の画像）が無い状態である。この場合、画像表示装置１００は、これから表示を終了する切替え前の画像（第１の画像）と第２の画像とが同じ画像であるとして処理をする。これにより、第２の色評価値が第１の色評価値と同じになり、第１の色評価値と第２の色評価値との中間色は、第１の色評価値と同じ値の色になる。すなわち、画像表示装置１００は、これから表示を終了する切替え前の画像（第２の画像）の色評価値と同じ値の色、または前記色の補色を挿入色としてトランジション処理をすることができる。
【００７９】
図１０は、表示画像の前または後に画像が無い場合の切替え処理の一例を示すフローチャートである。図１０を用いて、表示画像の前後の画像があるか否かの判定結果に応じて生成された挿入色による切替え処理の動作について説明する。なお、この図においては、挿入色生成部２２が中間色を挿入色として生成する場合を例としている。
【００８０】
まず初めに、画像処理部２は、切替え前の画像がない表示画像、切替え後の画像がない表示画像、または切替え前後に画像がある表示画像の何れかを判定するために、切替え前後の画像を検出する （ステップＳ５１）。画像処理部２は、切替え前の画像（第１の画像）があるか否かを判定する（ステップＳ５２）。ステップＳ５２において、切替え前の画像（第１の画像）がないと判定された場合（例えば、最初の表示画像または１枚のみの表示画像を表示開始する場合）、評価値算出部２１は、第１の画像を第２の画像（これから表示する切替え後の画像）と同じ画像として、第１の色評価値と第２の色評価値とを算出する（ステップＳ５３）。
【００８１】
一方、ステップＳ５２において、切替え前の画像（第１の画像）があると判定された場合、画像処理部２は、切替え後の画像（第２の画像）があるか否かを判定する（ステップＳ５４）。ステップＳ５４において、切替え後の画像（第２の画像）がないと判定された場合（例えば、最後の表示画像または１枚のみの表示画像を表示終了する場合）、評価値算出部２１は、第２の画像を第１の画像（表示していた切替え前の画像）と同じ画像として、第１の色評価値と第２の色評価値とを算出する（ステップＳ５５）。
【００８２】
一方、ステップＳ５４において、切替え後の画像（第２の画像）があると判定された場合（例えば、スライドショー再生の途中に表示（再生）される画像、すなわち切替え前後に画像がある画像の切替えの場合）、第１の画像（表示していた切替え前の画像）及び第２の画像から第１の色評価値と第２の色評価値とを算出する（ステップＳ５６）。
【００８３】
次に、挿入色生成部２２は、それぞれ判定された条件によりステップＳ５３、ステップＳ５５、またはステップＳ５６において算出された第１の色評価値と第２の色評価値とに基づいて、第１の色評価値と第２の色評価値との中間色を挿入色として生成する（ステップＳ５７）。
【００８４】
そして、切替え処理部２８は、ステップＳ５７において生成された挿入色に基づいて、画像を切替える処理をする（ステップＳ５８）。
例えば、切替え処理部２８は、最初の画像（第２の画像）を表示開始する場合、前記最初の画像（第２の画像）の色評価値と同じ値の色の挿入色から第２の画像にフェードインする処理をし、最後の画像（第１の画像）を表示終了する場合、第１の画像から前記最後の画像（第１の画像）の色評価値と同じ値の色の挿入色にフェードアウトする処理をする。また、切替え処理部２８は、スライドショー再生における途中の画像切替えの場合、第１の色評価値と第２の色評価値との中間色を挿入色として、第１の画像と第２の画像とを挿入色を介してフェードアウト処理及びフェードイン処理して画像を切替える。
【００８５】
なお、図１０においては、挿入色生成部２２が第１の色評価値と第２の色評価値との中間色を挿入色として生成する場合を例に示したが、前述したように、画像の動きベクトル、画像の色の変化率、または画像に関連付けられている音の音量等に応じて、中間色の補色を挿入色として生成してもよい。
【００８６】
このように、画像表示装置１００は、表示画像の前または後に画像が無い場合（１枚のみの画像を表示開始または表示終了する場合、最初の画像を表示開始する場合、または、最後の画像を表示終了する場合）においても、表示する画像に基づいた色によるトランジション処理により画像を切替えて表示することができる。
【００８７】
＜１枚のみの動画像をトランジション処理して表示する場合＞
図１１は、１枚のみの動画像を表示開始（再生開始）する場合の切替え処理の一例を示すフローチャートである。また、図１２は、１枚のみの動画像を表示終了（再生終了）する場合の切替え処理の一例を示すフローチャートである。なお、図１１及び図１２においては、評価値算出部２１が動画像の色評価値を最初のフレームまたは最後のフレームから算出する場合を例としている。また、挿入色生成部２２が中間色を挿入色として生成する場合を例としている。
【００８８】
まず、図１１を用いて、１枚のみの動画像を表示開始（再生開始）する場合の切替え処理の動作について説明する。
評価値算出部２１は、動画像の最初のフレームの色評価値を算出する（ステップＳ６１）。また、評価値算出部２１は、切替え前の画像（第１の画像）がないため、第１の画像の色評価値を、動画像（第２の画像）の最初のフレーム（これから表示する切替え後の画像の最初のフレーム）と同じ色評価値として算出する（ステップＳ６２）。
【００８９】
次に、挿入色生成部２２は、第１の画像の色評価値と動画像（第２の画像）の最初のフレームの色評価値との中間色を表示開始（再生開始）する際の挿入色として生成する（ステップＳ６３）。すなわち、挿入色生成部２２は、動画像（第２の画像）の最初のフレームの色評価値と同じ値の色を表示開始（再生開始）する際の挿入色として生成する。
【００９０】
そして、切替え処理部２８は、ステップＳ６３において生成された挿入色からフェードインして動画像の表示（再生）を開始する（ステップＳ６４）。
【００９１】
次に、図１２を用いて、１枚のみの動画像を表示終了（再生終了）する場合の切替え処理の動作について説明する。
評価値算出部２１は、動画像の最後のフレームの色評価値を算出する（ステップＳ７１）。また、評価値算出部２１は、切替え後の画像（第２の画像）がないため、第２の画像の色評価値を、動画像（第１の画像）の最後のフレーム（表示していた切替え前の画像の最後のフレーム）と同じ色評価値として算出する（ステップＳ７２）。
【００９２】
次に、挿入色生成部２２は、動画像（第１の画像）の最後のフレームの色評価値と第２の画像の色評価値との中間色を表示終了（再生終了）する際の挿入色として生成する（ステップＳ７３）。すなわち、挿入色生成部２２は、動画像（第１の画像）の最後のフレームの色評価値と同じ値の色を表示終了（再生終了）する際の挿入色として生成する。
【００９３】
そして、切替え処理部２８は、ステップＳ７３において生成された挿入色にフェードアウトして動画像の表示（再生）を終了する（ステップＳ７４）。
【００９４】
なお、図１１及び図１２においては、挿入色生成部２２が第１の色評価値と第２の色評価値との中間色を挿入色として生成する場合を例に示したが、前述したように、画像の動きベクトル、画像の色の変化率、または画像に関連付けられている音の音量等に応じて、中間色の補色を挿入色として生成してもよい。
【００９５】
このように、画像表示装置１００は、１枚のみの動画像を表示開始（再生開始）または表示終了（再生終了）する際に、表示する動画像に基づいた色によるトランジション処理をして動画像を表示（再生）することができる。
【００９６】
以上のように、画像表示装置１００は、切替え前後の画像の色評価値に基づいて、切替え前後の画像の色評価値の中間色、または中間色の補色を挿入色としたトランジション処理（例えば、フェードイン処理またはフェードアウト処理）により画像を切替えて表示することができる。例えば、画像表示装置１００は、切替え前後の画像の色に対して色の差が小さい色（中間色）を挿入色としたトランジション処理により画像を切替えて表示することができる。よって、一般的に用いられている、黒色または白色によるトランジション処理の場合に画面の色変化が大きいことにより生じることがある画面のちらつきを低減することができる。
【００９７】
例えば、図４を用いて説明した例によれば、黒色によるトランジション処理の場合、「青色（青い空）→黒色→黄色（黄色の花畑）」と切替わり、切替わる画像の色の差が大きいことにより画面のちらつきが生じる。一方、中間色として生成された緑色によるトランジション処理の場合、「青色（青い空）→緑色→黄色（黄色の花畑）」と切替わり、切替わる画像の色の差が小さいため画面のちらつきが低減される。また、例えば、赤色の評価値が大きい画像（赤っぽい画像）を連続して黒色によるトランジション処理により切替える場合、「赤色（赤っぽい画像）→黒色→赤色（赤っぽい画像）」と切替わり、切替わる画像の色の差が大きいことにより画面のちらつきが生じるが、赤色によるトランジション処理により切替える場合は、切替わる画像の色の差が小さいため画面のちらつきが低減される。これにより、画像表示装置１００は、ユーザーにとって不快感が少ないように画像を切替えて表示（例えば、スライドショー再生）することができる。
【００９８】
また、画像表示装置１００は、動きの激しい画像、色の変化が激しい画像、または音が騒がしい画像等の場合、切替え前後の画像の色に対して色の差が大きい色（中間色の補色）を挿入色としたトランジション処理により画像を切替えて表示することができる。例えば、スポーツやロックコンサート等のように動きの激しい画像、色の変化が激しい画像、または音が騒がしい画像等をトランジション処理して切替えて表示する場合、一般的に用いられている、黒色または白色によるトランジション処理が挿入された場合、画像の躍動感が遮断されてユーザーにとって不快に感じられる場合がある。このような場合、画像表示装置１００は、切替え前後の画像の色に対して色の差が大きい色（中間色の補色）を挿入色としたトランジション処理により画像を切替えて表示することにより、ユーザーにとって躍動感が遮断されないように画像を切替えて表示することができる。
これにより、撮像装置２００は、ユーザーにとって不快感が少ないように画像を切替えて表示（例えば、スライドショー再生）することができる。
【００９９】
次に、画像処理装置１を有する撮像装置２００が、動画像をトランジション処理により記録開始または記録終了する場合の例について説明する。
＜撮像装置において動画像を記録する場合の例＞
図１３は、本発明の一実施形態による撮像装置２００の構成を示す概略ブロック図である。まず、この図を用いて、撮像装置２００の構成について説明する。なお、図１３において、図１の各部に対応する部分には同一の符号を付け、その説明を省略する。
【０１００】
図１３に示す撮像装置２００は、画像処理装置１、表示制御部１１０、表示部１２０、外部出力部１３０、撮像部２１０、撮像制御部２２０、音入力部２３０、記録制御部２４０、及びバス１０Ｂを備えている。
【０１０１】
撮像部２１０は、レンズ部２１１、撮像素子２１２、及びＡ/Ｄ変換部２１３を有しており、被写体を撮像して画像データを生成する。この撮像部２１０は設定された撮像条件（例えば絞り値、露出値等）に基づいて撮像制御部２２０により制御され、レンズ部２１１を介して入射した被写体光束が撮像素子２１２の撮像面上に被写体像を結像させる。また、撮像部２１０は、撮像素子２１２から出力されたアナログ信号をＡ/Ｄ変換部２１３においてデジタル信号に変換し、画像データを生成して出力する。
なお、上述したレンズ部２１１は、撮像装置２００に取り付けられて一体とされていてもよいし、撮像装置２００に着脱可能に取り付けられてもよい。
【０１０２】
例えば、撮像部２１０は、操作部７による動画撮像操作に応じて、撮像した動画像データを出力する。また、撮像部２１０は、操作部７による静止画撮像操作に応じて、撮像した静止画像データを出力する。そして、撮像部２１０によって撮像された動画像データ及び静止画像データは、撮像制御部２２０の制御によりバス１０Ｂを介して画像処理装置１に入力され、画像処理装置１に処理された後、記憶媒体３００に記録される。また、撮像部２１０は、静止画撮像を行うための待機状態中に、スルー画（live camera）の画像データを出力する。
撮像制御部２２０は、撮像部２１０の撮像動作を制御し、撮像部２１０により撮像された動画像データ及び静止画像データ等を、バス１０Ｂを介して画像処理装置１に入力する。
【０１０３】
音入力部２３０は、音を検出するマイクを有しており、検出された音に基づく音信号を生成して、バス１０Ｂを介して画像処理装置１に入力する。例えば、音入力部２３０は、撮像部２１０により動画像が撮像されている期間、検出された音に基づく音信号を画像処理装置１に入力する。そして、画像処理装置１は、前記音信号を撮像された動画像に関連付けて、記録制御部２４０を介して記憶装置（記録部）６に記録する。なお、音入力部２３０は、撮像部２１０により静止画像が撮像される際に、予め設定された時間（例えば、レリーズ押下後の１０秒間など）において、検出された音に基づく音信号を画像処理装置１に入力してもよい。また、音入力部２３０は、操作部７の操作に応じて、記録されている静止画像に関連付けて後から録音される期間に検出された音に基づく音信号を画像処理装置１に入力してもよい。
【０１０４】
記録制御部２４０は、撮像部２１０により撮像された画像データ（動画像、静止画像）、及び音入力部２３０により入力された画像データに関連付けられている音データ（音信号）を、記憶装置（記録部）６に記録する制御をする。例えば、記録制御部２４０は、記憶装置（記録部）６に接続されているカードメモリ等の着脱可能な記憶媒体３００に記録する。また、記録制御部２４０は、動画像の記録開始直後の所定のフレーム期間、または記録停止の直前の所定のフレーム期間に、挿入色の切替え画像を挿入して（トランジション処理をして）記憶装置（記録部）６に記録する。
【０１０５】
バス１０Ｂは、画像処理装置１の備える各部、表示制御部１１０、及び外部出力部１３０と接続され、各部から出力された画像データや制御信号等を転送する。
【０１０６】
図１４は、撮像された動画像に挿入色による切替え処理をして記録する処理の一例を示すフローチャートである。図１４を用いて、撮像装置２００が動画像に挿入色による切替え処理をして（トランジション処理をして）記録する動作について説明する。
【０１０７】
まず、撮像制御部２２０は、ユーザーの操作部７による動画撮像操作に応じて、動画像の撮像を実行して撮像された動画像を画像処理装置１に入力する。画像処理装置１は入力された動画像をバッファメモリ部５に保持させる（ステップＳ８１）。次に、評価値算出部２１は、動画像の最初のフレーム及び最後のフレームをバッファメモリ部５から読み出して、それぞれの色評価値を算出する（ステップＳ８２）。
【０１０８】
続いて、挿入色生成部２２は、評価値算出部２１により算出された動画像の最初のフレーム及び最後のフレームの色評価値に基づいて、動画像の記録開始時の挿入色を最初のフレームの色評価値の色とし、動画像の記録終了時の挿入色を最後のフレームの色評価値の色として生成する（ステップＳ８３）。
【０１０９】
そして、切替え処理部２８は、動画像に対して、最初のフレームの色評価値の色からフェードインし、最後のフレームの色評価値の色にフェードアウトする画像処理（トランジション処理）を実行する（ステップＳ８４）。記録制御部２４０は、この画像処理された動画像を記録する（ステップＳ８５）。
【０１１０】
なお、ステップＳ８３の１枚の動画像に対して挿入色を生成する処理は、図１１及び図１２を用いて説明した、１枚のみ動画像を表示開始または表示終了する場合の挿入色を生成する処理と同様に実行することができる。
【０１１１】
また、撮像装置２００は、撮像した動画像をバッファメモリ部５に保持させてから、トランジション処理に使用するフレームを読み出して処理をする。この時、撮像装置２００は、１回の撮像操作により撮像された動画像の全てをバッファメモリ部５に保持させてから、トランジション処理に使用するフレーム（例えば、最初のフレームまたは最後のフレーム）を読み出して評価値の算出処理やトランジション処理をしてもよいが、バッファメモリ部５のメモリ容量は動画像の記録容量に対して少ないことが一般的である。そのため、撮像装置２００は、動画像の撮像開始の際に、撮像処理と並列処理によりバッファメモリ部５に保持させた最初のフレーム（または、最初のフレームを含む所定の期間のフレーム）に対してトランジション処理を実行して記録するといったリアルタイム処理をすることにより、バッファメモリ部５に保持させる動画像を最小限の容量になるように処理をしてもよい。
【０１１２】
なお、撮像装置２００は、画像の動きベクトル、画像の色の変化率、または画像に関連付けられている音の音量等に応じて、動画像の色評価値と同じ値となる色の補色を挿入色として生成してもよい。この場合、撮像装置２００は、動画像を撮像開始する前のスルー画（live camera）の画像から、画像の動きベクトル、画像の色の変化率、または画像に関連付けられている音の音量等を検出して、動画像の色評価値と同じ値となる色を挿入色として生成するか、あるいは前記色の補色を挿入色として生成するかを判定してもよい。
【０１１３】
以上のように、撮像装置２００は、動画像を撮像して記録する場合、記録開始または記録終了の際に、撮像する動画像の色の評価値に基づいた挿入色を生成してトランジション処理（例えば、フェードイン処理またはフェードアウト処理）を実行して記録することができる。例えば、撮像する動画像の最初のフレームの色の評価値と同じ値となる色、または前記色の補色を挿入色とすることにより、前述した画像表示装置１００における画像の切替え表示の際のトランジション処理と同様に、撮像する動画像に適した挿入色に基づいたトランジション処理を実行して記録することができる。
【０１１４】
つまり、撮像装置２００は、動画像を撮像して記録する場合、記録開始または記録終了の際のフレームの色に対して色の差が小さい色を挿入色としたトランジション処理により動画像を記録開始または記録終了することができる。また、撮像装置２００は、動きの激しい動画像、色の変化が激しい動画像、または音が騒がしい動画像等を撮像して記録する場合、記録開始または記録終了の際のフレームの色に対して色の差が大きい色を挿入色としたトランジション処理により動画像を記録開始または記録終了することができる。これにより、撮像装置２００は、動画像の記録開始または記録終了の際の画像の切替わりに、ユーザーにとって不快感が少ないようなトランジション処理をして記録することができる。
【０１１５】
なお、撮像装置２００は、画像表示装置１００が備える画像処理装置１、表示制御部１１０、表示部１２０、及び外部出力部１３０の構成と同様の構成を備えているため、動画像の記録の場合のみに限らず、前述した画像表示装置１００における画像の切替え表示も実行することができる。これにより、撮像装置２００は、ユーザーにとって不快感が少ないように画像を切替えて表示することができる。
【０１１６】
以上、この発明の実施形態を図面を参照して詳述してきたが、具体的な構成はこの実施形態に限られるものではなく、この発明の要旨を逸脱しない範囲の設計等も含まれる。
例えば、評価値算出部２１は、画像の色の属性に関する評価値を算出する場合、色相に関する評価値に限らず、明度に関する評価値、彩度に関する評価値、またはその組み合わせによる評価値を算出してもよい。
【０１１７】
なお、上記実施形態において、評価値算出部２１が画像の色の属性に関する評価値を算出する場合、画像の画素データの加算平均値を評価値として算出する例について説明したが、これに限られるものではない。例えば、評価値算出部２１は、画像の全体の領域の内、占める領域が多い色または中央の領域の色等に重み付けをした加重平均値を評価値として算出してもよい。
また、例えば、前後の画像それぞれの領域内における色について、近い色（類似する色、同系色）をグループ化し、そのグループから色評価値を算出してもよい。例えば、前後の画像の領域内において、暖色や寒色などの色でグループ化をおこない、これらのグループから色評価値を算出してもよい。
また、例えば、前の画像の平均色をＡ１とし、後の画像の平均色をＢ１として、これらＡ１及びＢ１から色評価値を算出してもよい。
また、例えば、前の画像の領域内に占める面積が最大となる色をＡ１とし、後の画像の領域内に占める面積が最大となる色をＢ１として、これら最大面積を占める色Ａ１及びＢ１から色評価値を算出してもよい。
また例えば、前の画像の領域内に占める面積が大きい色から順にＡ１、Ａ２、…、とし、後の画像の領域内に占める面積が大きい色から順にＢ１、Ｂ２、…、として、これら複数の色Ａ１、Ａ２、…、及び、Ｂ１、Ｂ２、…、から色評価値を算出してもよい。
また、例えば、前後の画像中に含まれる色を区分けしたカラーマップを作成し、表示画像領域内の全ての色をそのカラーマップの区分けに従って分類をおこなう。まず、前の画像のカラーマップに区分けされた色の区分に従い、単色をＡ１とし、あるいは、複数色をＡ１、Ａ２、…、とする。次に、後の画像のカラーマップに区分けされた色の区分に従い、単色をＢ１とし、あるいは、複数色をＢ１、Ｂ２、…、とする。そして、これらの単色Ａ１あるいは複数色Ａ１、Ａ２、…、及び、単色Ｂ１あるいは複数色Ｂ１、Ｂ２、…、から色評価値を算出してもよい。カラーマップの作成は、評価値算出部がおこなってもよいし、画像処理部がカラーマップ作成部（不図示）を備えてもよい。
ここでは、前後に画像がある場合において、画像の色の属性に関する評価値を算出方法の例について述べた。しかし、上記のような色評価値の算出方法は、表示画像の前または後に画像が無い場合（表示画像が最初の画像又は最後の画像の場合）においても、前または後ろの一方の画像のみを利用して行ってもよい。つまり、例えば、前の画像しかない場合には、前の画像の領域内における色について、近い色をグループ化し、そのグループから色評価値を算出してもよい。その他の色評価値の算出方法についても同様に、前または後ろの一方の画像のみを利用して行ってもよい。
【０１１８】
なお、上記実施形態における画像処理装置１は、切替え前後の画像の動きベクトル、色の変化率、または音の音量、の各条件の組み合わせに基づいて、切替え前後の画像の色評価値の中間色を挿入色とするか、中間色の補色を挿入色とするかを判定してもよい。例えば、予め設定された各条件の優先度に基づいた順序により各条件の判定をしてもよいし、前記優先度に基づいて各条件の判定閾値を変更してもよい。
【０１１９】
また、上記実施形態における画像処理装置１は、切替え前後の画像の間に挿入する挿入色として、例えば、前の画像の色をＡ１とし、後の画像の色をＢ１とした場合において、これらＡ１とＢ１の中間色であるＣ１のみを使用してもよい。
また、切替え前後の画像の間に挿入する挿入色として、例えば、前の画像の色Ａ１及び後の画像の色Ｂ１の中間色Ｃ１の補色であるＤ１のみを使用してもよい。
また、切替え前後の画像の間に挿入する挿入色として、例えば、前の画像の色Ａ１、後の画像の色Ｂ１、中間色Ｃ１及び中間色Ｃ１の補色Ｄ１などの中から、一色あるいは複数色を使用してもよい。
また、切替え前後の画像の間に挿入する挿入色として、例えば、前の画像の色Ａ１、後の画像の色Ｂ１、中間色Ｃ１及び中間色Ｃ１の補色Ｄ１などの色の中から選んだ単色あるいは複数色と同輝度のモノクロ色を使用してもよい。
また、切替え前後の画像の間に挿入する挿入色として、例えば、前の画像のカラーマップと後の画像のカラーマップを合わせて、そこから得られた最大面積の単色であるＥ１、あるいは最大面積の複数色であるＥ１、Ｅ２、…、を使用してもよい。
また、切替え前後の画像の間に挿入する挿入色は、例えば、前の画像のカラーマップと後の画像のカラーマップから得られた共通色であるＦ１、あるいは複数の共通色であるＦ１、Ｆ２、…、を使用してもよい。
ここでは、前後に画像がある場合において、切替え前後の画像の間に挿入する挿入色の決定方法の例について述べた。しかし、上記のような挿入色の決定方法は、表示画像の前または後に画像が無い場合（表示画像が最初の画像又は最後の画像の場合）においても、前または後ろの一方の画像のみを利用して行ってもよい。つまり、前の画像しかない場合には、前の画像から得られた少なくとも１つの色評価値を利用して、単色あるいは複数色の挿入色を決定してもよい。例えば、前の画像の領域内でＡ１及びＢ１を選び、それらの中間色であるＣ１を挿入色として使用してもよい。その他の挿入色の決定方法についても同様に、前または後ろの一方の画像のみを利用して行ってもよい。
【０１２０】
また、上記実施形態における画像処理装置１の以下のような場合における表示画像のトランジション処理の他の例を示す。
（１）スライドショー再生における最初の画像を表示開始する場合。
（２）スライドショー再生において表示画像の前後に画像がある場合。
（３）スライドショー再生における最後の画像を表示終了する場合。
このような場合、画像表示装置は、例えば、以下のようなトランジション処理を行ってもよい。なお、以下に示すトランジション処理の例において使用される挿入色は、上述した決定方法を用いて決定され、単色あるいは複数色の挿入色であってもよい。以下、図１５、図１６Ａ，図１６Ｂ及び図１７における説明においては、複数色の挿入色が用いられた例として示す。
【０１２１】
例えば、スライドショー再生における最初の画像を表示開始する場合は、切替え前の画像（第１の画像）が無い状態である。この場合、画像表示装置は、これから表示する切替え後の画像（第２の画像）から色評価値を算出し、その色評価値に基づいて得られた挿入色を使用してトランジション処理を行ってもよい。具体的には、例えば図１５に示すように、色評価値に基づいて得られた複数色の挿入色４０Ａを画面全体の領域に表示したあとに、第２の画像５０Ａが画面左側より画面右側に向かって広がりながら表示される（スライドイン）ようにトランジション処理を行ってもよい。図１５の矢印ｒ１は、先に複数色の挿入色４０Ａが表示されている画面において、第２の画像５０Ａが画面左端から画面右側に向かって広がりながら表示されるトランジション処理の様子を表現している。また、第１の画像３０Ａは点線による四角で示されており、画像が無い状態を表現している。
ここで、第２の画像５０Ａに基づいた色評価値の算出には、上述した種々の算出法によって算出されてもよい。また、挿入色４０Ａについても、上述した方法で決定された種々の挿入色であってもよい。
【０１２２】
次に、例えば、スライドショー再生において表示画像の前後に画像がある場合には、画像表示装置は、切替え前の画像（第１の画像）と切替え後の画像（第２の画像）から色評価値を算出し、その色評価値に基づいて得られた挿入色を使用してトランジション処理を行ってもよい。具体的には、例えば、図１６Ａに示すように、前後の画像の色評価値に基づいて得られた複数色の挿入色４０Ｂの表示が画面右側から開始され、この複数色の挿入色４０Ｂに連続して第２の画像５０Ｂが画面左側に向かって広がりながら表示される（スライドイン）ようにトランジション処理を行ってもよい。このとき、画面右側から流れてくる複数色の挿入色４０Ｂ及び第２の画像５０Ｂの表示が広がるにつれて、先に表示されていた第１の画像３０Ｂの表示は、図１６Ａに示されるように徐々に画面左方向に圧縮されて表示されていく。その後、第１の画像に代わって、全画面領域に複数色の挿入色４０Ｂ及び第２の画像５０Ｂが表示されるようになる。続いて、複数色の挿入色４０Ｂも画面左方向に圧縮されて表示されていく。そして最終的には、画面領域の全てが第２の画像５０Ｂに切り替わる。図１６Ａの矢印ｒ２は、複数色の挿入色４０Ｂと第２の画像５０Ｂが連続した状態で、画面右端から画面左端に向かって広がりながら表示されていくトランジション処理の様子を表現している。
【０１２３】
また、別の具体的な例として、例えば、図１６Ｂに示すように、前後の画像の色評価値に基づいて得られた複数色の挿入色４０Ｂの表示が画面右側から開始され、そのまま複数色の挿入色４０Ｂのみが画面領域の全てに表示された後、それに続いて第２の画像５０Ｂが画面右側から表示されていくようなトランジション処理を行ってもよい。このとき、画面右側から流れてくる複数色の挿入色４０Ｂの表示が広がるにつれて、先に表示されていた第１の画像３０Ｂの表示は、図１６Ｂに示されるように徐々に画面左方向に圧縮されて表示されていく。その後、第１の画像に代わって、全画面領域に複数色の挿入色４０Ｂが表示されるようになる。続いて、画面右側から第２の画像５０Ｂの表示が画面左側に向かって開始される。第２の画像５０Ｂの表示が広がるにつれて、先に表示されていた複数色の挿入色４０Ｂの表示は、図１６Ｂに示されるように徐々に画面左方向に圧縮されて表示されていく。そして最終的には、画面領域の全てが第２の画像５０Ｂに切り替わる。図１６Ｂの矢印ｒ３は、複数色の挿入色４０Ｂが画面右端から画面左側に向かって広がりながら表示されていくトランジション処理の様子を表現している。また、図１６Ｂの矢印ｒ４は、複数色の挿入色４０Ｂが全画面領域に表示された後に、第２の画像５０Ｂが画面右端から画面左側に向かって広がりながら表示されていくトランジション処理の様子を表現している。そして最終的には、画面領域の全てが第２の画像５０Ｂに切り替わる。
ここで、第１の画像３０Ｂ及び第２の画像５０Ｂに基づいた色評価値の算出には、上述した種々の算出法によって算出されてもよい。また、第１の画像３０Ｂ及び第２の画像５０Ｂに基づいて表示される挿入色４０Ｂについても、上述した方法で決定された種々の挿入色であってもよい。
【０１２４】
次に、例えば、スライドショー再生における最後の画像を表示終了する場合は、切替え後の画像（第２の画像）が無い状態である。この場合、画像表示装置は、これから表示を終了する切替え前の画像（第１の画像）から色評価値を算出し、その色評価値に基づいて得られた挿入色を使用してトランジション処理を行ってもよい。具体的には、例えば図１７に示すように、第１の画像３０Ｃが表示されている状態で、色評価値に基づいて得られた複数色の挿入色４０Ｃが画面左側より画面右側に向かって広がりながら表示されるようにトランジション処理を行ってもよい。図１７の矢印ｒ５は、第１の画像３０Ｃが表示されている画面において、複数色の挿入色４０Ｃが画面右端から画面左側に向かって広がりながら表示されるトランジション処理の様子を表現している。また、第２の画像５０Ｃは点線による四角で示されており、画像が無い状態を表現している。
ここで、第１の画像３０Ｃに基づいた色評価値の算出には、上述した種々の算出法によって算出されてもよい。また、挿入色４０Ｃについても、上述した方法で決定された種々の挿入色であってもよい。
【０１２５】
なお、上記実施形態における画像処理装置１は、切り替え前後の画像に基づいて切替え期間の挿入色を生成するのに加えて、切替え期間の長さを変更する処理をしてもよい。例えば、画像処理装置１は、動きの激しい画像を切替える場合、切替え期間の長さを短く、反対に、動きの激しくない画像を切替える場合、切替え期間の長さを長くする処理をしてもよい。また、画像処理装置１は、画像の動きベクトルの大きさに応じて、切替え期間の長さを変更してもよいし、画像の色評価値の変化率または音量に応じて、切替え期間の長さを変更してもよい。更に、画像処理装置１は、図２または図３に示す期間ＳＴ１（切替え期間）に対する期間ＳＴ２、期間ＳＴ３、または期間ＳＴ４の長さの割合を変更してもよい。
【０１２６】
なお、上記実施形態におけるトランジション処理は、フェードイン処理またはフェードアウト処理としたが、これに限られるものではない。例えば、トランジション処理は、ワイプ処理であってもよいし、その他、画像をスクロールさせる処理、画像をオーバーラップさせる処理、または、各種の形状パターン（モザイク、ボックス、サークル等）によるトランジション処理としてもよい。また、画像処理装置１は、切替え前後の画像と挿入色の切替え画像との合成画像（例えば、切替え前の画像から徐々に挿入色に移り変わる画像、または挿入色から徐々に切替え後の画像に移り変わる画像）を生成せずに、切替え前後の画像の間に挿入色の切替え画像のみを挿入して切替える処理をしてもよい。
【０１２７】
なお、画像処理装置１の有する各部は専用のハードウェアにより実現されるものであってもよく、また、メモリおよびＣＰＵ（中央演算装置）により構成され、上述の各部の機能を実現するためのプログラムをメモリにロードして実行することによりその機能を実現させるものであってもよい。
【０１２８】
また、画像処理装置１の有する各部の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【０１２９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【０１３０】
１  画像処理装置、６  記憶装置（記録部）、２１  評価値算出部（算出部）、２２  挿入色生成部（生成部）、２３  動きベクトル検出部、２４  動きベクトル判定部、２５  変化率算出部２５  色変化判定部、２７  音量判定部、２８  切替え処理部、１００  画像表示装置、１１０  表示制御部、１２０  表示部、２００  撮像装置、２４０  記録制御部
【図１】
2012147772.tif 000003
【図２】
2012147772.tif 000004
【図３】
2012147772.tif 000005
【図５】
2012147772.tif 000006
【図７】
2012147772.tif 000007
【図８】
2012147772.tif 000008
【図９】
2012147772.tif 000009
【図１０】
2012147772.tif 000010
【図１１】
2012147772.tif 000011
【図１２】
2012147772.tif 000012
【図１３】
2012147772.tif 000013
【図１４】
2012147772.tif 000014
【図４】
2012147772.tif 000015
【図６】
2012147772.tif 000016
【図１５】
2012147772.tif 000017
【図１６Ａ】
2012147772.tif 000018
【図１６Ｂ】
2012147772.tif 000019
【図１７】
2012147772.tif 000020
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
画像に基づいて前記画像の色の属性に関する評価値を算出する算出部と、
第１の画像から第２の画像に切替えて表示する際の切替え期間に挿入される切替え画像の色である挿入色を、前記第１の画像に基づいて前記算出部により算出された評価値である第１の色評価値と前記第２の画像に基づいて前記算出部により算出された評価値である第２の色評価値との少なくとも一方に基づいて生成する生成部と、
前記切替え期間に前記挿入色を使用した前記切替え画像を挿入して、前記第１の画像から前記第２の画像に切替える処理をする切替え処理部と、
を備え、
前記生成部は、前記第１の色評価値と前記第２の色評価値との間の色を、前記挿入色として生成することを特徴とする画像処理装置。
【請求項２】
画像に基づいて前記画像の色の属性に関する評価値を算出する算出部と、
第１の画像から第２の画像に切替えて表示する際の切替え期間に挿入される切替え画像の色である挿入色を、前記第１の画像に基づいて前記算出部により算出された評価値である第１の色評価値と前記第２の画像に基づいて前記算出部により算出された評価値である第２の色評価値との少なくとも一方に基づいて生成する生成部と、
前記切替え期間に前記挿入色を使用した前記切替え画像を挿入して、前記第１の画像から前記第２の画像に切替える処理をする切替え処理部と、
を備え、
前記生成部は、前記第１の色評価値と前記第２の色評価値との間の色の補色を、前記挿入色として生成することを特徴とする画像処理装置。
【請求項３】
前記生成部は、
前記第１の色評価値、前記第２の色評価値、前記第１の色評価値と前記第２の色評価値との間の色及び前記第１の色評価値と前記第２の色評価値との間の色の補色のうち、複数色を前記挿入色として生成する
ことを特徴とする請求項１または２に記載の画像処理装置。
【請求項４】
前記生成部は、
前記第１の色評価値、前記第２の色評価値、前記第１の色評価値と前記第２の色評価値との間の色及び前記第１の色評価値と前記第２の色評価値との間の色の補色との少なくとも一つと同輝度のモノクロ色を、前記挿入色として生成する
ことを特徴とする請求項１または２に記載の画像処理装置。
【請求項５】
前記生成部は、
前記第１の画像のフレーム内に含まれる色を所定の基準に基づいて区分けしたカラーマップと前記第２の画像のフレーム内に含まれる色を所定の基準に基づいて区分けしたカラーマップを合わせて得られた最大面積を有する少なくとも一つの色を、前記挿入色として生成する
ことを特徴とする請求項１または２に記載の画像処理装置。
【請求項６】
前記生成部は、
前記第１の画像のフレーム内に含まれる色を所定の基準に基づいて区分けしたカラーマップと前記第２の画像のフレーム内に含まれる色を所定の基準に基づいて区分けしたカラーマップから得られた少なくとも一つの共通色を、前記挿入色として生成する
ことを特徴とする請求項１または２に記載の画像処理装置。
【請求項７】
前記画像の動きベクトルを検出する動きベクトル検出部と、
前記画像から前記動きベクトル検出部により検出された動きベクトルの大きさが所定値以上であるか否かを判定する動きベクトル判定部と、
をさらに備え、
前記生成部は、
前記第１の画像から前記動きベクトル検出部により検出された動きベクトル、または前記第２の画像から前記動きベクトル検出部により検出された動きベクトルの大きさが所定値以上であると判定された場合、前記第１の色評価値と前記第２の色評価値との間の色の補色を、前記挿入色として生成する
ことを特徴とする請求項１から請求項６の何れか１項に記載の画像処理装置。
【請求項８】
前記画像に関連付けられている音が所定の音量以上であるか否かを判定する音量判定部、
をさらに備え、
前記生成部は、
前記第１の画像に関連付けられている音、または前記第２の画像に関連付けられている音が所定の音量以上であると前記音量判定部により判定された場合、前記第１の色評価値と前記第２の色評価値との間の色の補色を、前記挿入色として生成する
ことを特徴とする請求項１から請求項７の何れか１項に記載の画像処理装置。
【請求項９】
前記画像が動画像である場合、前記算出部により前記画像のフレーム毎に算出された評価値の前記フレーム間の変化率を算出する変化率算出部と、
前記変化率算出部により算出された変化率が所定の変化率以上であるか否かを判定する色変化判定部と、
をさらに備え、
前記生成部は、
前記第１の画像から変化率算出部により算出された変化率、または前記第２の画像から変化率算出部により算出された変化率が所定の変化率以上であると前記色変化判定部により判定された場合、前記第１の色評価値と前記第２の色評価値との間の色の補色を、前記挿入色として生成する
ことを特徴とする請求項１から請求項８の何れか１項に記載の画像処理装置。
【請求項１０】
前記算出部は、
前記画像のフレーム内における画素の色データの加算平均値を前記評価値として算出する
ことを特徴とする請求項１から請求項９の何れか１項に記載の画像処理装置。
【請求項１１】
前記算出部は、
前記画像が動画像である場合、前記画像のフレーム内における画素の色データの加算平均値を所定の複数フレーム分加算平均して前記評価値として算出する
ことを特徴とする請求項１から請求項９の何れか１項に記載の画像処理装置。
【請求項１２】
前記算出部は、
前記画像が動画像である場合、前記第１の画像の最後のフレーム内における画素の色データの加算平均値を前記第１の色評価値として算出するとともに、前記第２の画像の最初のフレーム内における画素の色データの加算平均値を前記第２の色評価値として算出する
ことを特徴とする請求項１から請求項９の何れか１項に記載の画像処理装置。
【請求項１３】
前記算出部は、
前記第１の画像及び前記第２の画像との少なくとも一方のフレーム内における画素の色データについて、同系色同士の画素の色データをグループ化し、前記グループから前記評価値を算出する
ことを特徴とする請求項１から請求項９の何れか１項に記載の画像処理装置。
【請求項１４】
前記算出部は、
前記第１の画像及び前記第２の画像との少なくとも一方のフレーム内の画素の色データの平均に基づいた色を用いて前記評価値を算出する
ことを特徴とする請求項１から請求項９の何れか１項に記載の画像処理装置。
【請求項１５】
前記算出部は、
前記第１の画像及び前記第２の画像との少なくとも一方のフレーム内の画素の色データの最大面積を用いて前記評価値を算出する
ことを特徴とする請求項１から請求項９の何れか１項に記載の画像処理装置。
【請求項１６】
前記算出部は、
前記第１の画像及び前記第２の画像との少なくとも一方のフレーム内における画素の色データの占める面積を大きい順に並べて前記評価値を算出する
ことを特徴とする請求項１から請求項９の何れか１項に記載の画像処理装置。
【請求項１７】
前記算出部は、
前記第１の画像及び前記第２の画像との少なくとも一方のフレーム内におけて画素の色データから所定の基準に基づいて区分けしたカラーマップを作成し、前記カラーマップによって前記評価値を算出する
ことを特徴とする請求項１から請求項９の何れか１項に記載の画像処理装置。
【請求項１８】
前記切替え処理部は、
前記第１の画像及び前記第２の画像のどちらか一方の画像を切替える処理として、前記どちらか一方の画像の他方に前記第１の画像及び前記第２の画像に切替える処理を前記挿入色に基づいたトランジション処理とする
ことを特徴とする請求項１から請求項１７の何れか１項に記載の画像処理装置。
【請求項１９】
前記切替え処理部は、
前記第１の画像から前記第２の画像に切替える処理として、前記第１の画像から前記第２の画像に切替える処理を前記挿入色に基づいたフェードイン処理またはフェードアウト処理とする
ことを特徴とする請求項１から請求項１７の何れか１項に記載の画像処理装置。
【請求項２０】
請求項１から請求項１９の何れか１項に記載の画像処理装置と、
前記第１の画像と前記第２の画像とを表示する表示部と、
前記第１の画像から前記第２の画像に切替えて表示させる場合に、前記切替え期間に前記挿入色の切替え画像を挿入して表示部に表示させる表示制御部と、
を備えることを特徴とする画像表示装置。
【請求項２１】
請求項１から請求項１９の何れか１項に記載の画像処理装置
を備えることを特徴とする撮像装置。
【請求項２２】
画像処理装置としてのコンピュータに、
画像に基づいて前記画像の色の属性に関する評価値を算出する算出手順と、
第１の画像から第２の画像に切替えて表示される場合の切替え期間に挿入される切替え画像の色である挿入色を、前記第１の画像に基づいて算出された前記評価値である第１の色評価値と前記第２の画像に基づいて算出された前記評価値である第２の色評価値との少なくとも一方に基づいて、前記第１の色評価値と前記第２の色評価値との間の色を、前記挿入色として生成する生成手順と、
前記切替え期間に前記挿入色を使用した前記切替え画像を挿入して、前記第１の画像から前記第２の画像に切替える処理をする切替え処理手順と、
を実行させるためのプログラム。
【請求項２３】
画像処理装置としてのコンピュータに、
画像に基づいて前記画像の色の属性に関する評価値を算出する算出手順と、
第１の画像から第２の画像に切替えて表示する際の切替え期間に挿入される切替え画像の色である挿入色を、前記第１の画像に基づいて前記算出手順により算出された評価値である第１の色評価値と前記第２の画像に基づいて前記算出手順により算出された評価値である第２の色評価値との少なくとも一方に基づいて、前記第１の色評価値と前記第２の色評価値との間の色の補色を、前記挿入色として生成する生成手順と、
前記切替え期間に前記挿入色を使用した前記切替え画像を挿入して、前記第１の画像から前記第２の画像に切替える処理をする切替え処理手順と、
を実行させるためのプログラム。
【請求項２４】
前記第１の色評価値と前記第２の色評価値との間の色は、前記第１の色評価値と前記第２の色評価値との中間値となる色であることを特徴とする請求項３〜５及び８〜２３の何れか１項に記載の画像処理装置。
【手続補正２】
【補正対象書類名】明細書
【補正対象項目名】０００７
【補正方法】変更
【補正の内容】
【０００７】
この発明の態様は、画像に基づいて前記画像の色の属性に関する評価値を算出する算出部と、第１の画像から第２の画像に切替えて表示する際の切替え期間に挿入される切替え画像の色である挿入色を、前記第１の画像に基づいて前記算出部により算出された評価値である第１の色評価値と前記第２の画像に基づいて前記算出部により算出された評価値である第２の色評価値との少なくとも一方に基づいて生成する生成部と、前記切替え期間に前記挿入色を使用した前記切替え画像を挿入して、前記第１の画像から前記第２の画像に切替える処理をする切替え処理部と、を備え、前記生成部は、前記第１の色評価値と前記第２の色評価値との間の色を、前記挿入色として生成することを特徴とする画像処理装置である。
また、本発明の態様は、画像に基づいて前記画像の色の属性に関する評価値を算出する算出部と、第１の画像から第２の画像に切替えて表示する際の切替え期間に挿入される切替え画像の色である挿入色を、前記第１の画像に基づいて前記算出部により算出された評価値である第１の色評価値と前記第２の画像に基づいて前記算出部により算出された評価値である第２の色評価値との少なくとも一方に基づいて生成する生成部と、前記切替え期間に前記挿入色を使用した前記切替え画像を挿入して、前記第１の画像から前記第２の画像に切替える処理をする切替え処理部と、を備え、前記生成部は、前記第１の色評価値と前記第２の色評価値との間の色の補色を、前記挿入色として生成することを特徴とする画像処理装置である。
【手続補正３】
【補正対象書類名】明細書
【補正対象項目名】００１０
【補正方法】変更
【補正の内容】
【００１０】
また、本発明の態様は、画像処理装置としてのコンピュータに、画像に基づいて前記画像の色の属性に関する評価値を算出する算出手順と、第１の画像から第２の画像に切替えて表示される場合の切替え期間に挿入される切替え画像の色である挿入色を、前記第１の画像に基づいて算出された前記評価値である第１の色評価値と前記第２の画像に基づいて算出された前記評価値である第２の色評価値との少なくとも一方に基づいて、前記第１の色評価値と前記第２の色評価値との間の色を、前記挿入色として生成する生成手順と、前記切替え期間に前記挿入色を使用した前記切替え画像を挿入して、前記第１の画像から前記第２の画像に切替える処理をする切替え処理手順と、を実行させるためのプログラムである。
また、本発明の態様は、画像処理装置としてのコンピュータに、画像に基づいて前記画像の色の属性に関する評価値を算出する算出手順と、第１の画像から第２の画像に切替えて表示する際の切替え期間に挿入される切替え画像の色である挿入色を、前記第１の画像に基づいて前記算出手順により算出された評価値である第１の色評価値と前記第２の画像に基づいて前記算出手順により算出された評価値である第２の色評価値との少なくとも一方に基づいて、前記第１の色評価値と前記第２の色評価値との間の色の補色を、前記挿入色として生成する生成手順と、前記切替え期間に前記挿入色を使用した前記切替え画像を挿入して、前記第１の画像から前記第２の画像に切替える処理をする切替え処理手順と、を実行させるためのプログラムである。
【国際調査報告】
2012147772.tif 000021
2012147772.tif 000022